(57)【特許請求の範囲】
【請求項１】
矩形の台板の端部に用箋を挟むクリップを取り付けた用箋挟本体を覆う防水性を有するシートホルダであって、
前記用箋を視認可能に前記台板を前面側から覆う第１被覆領域、及び前記用箋に筆記できるように片手を覆う前記台板の幅方向に延びて前記第１被覆領域に連続する第２被覆領域を形成する略矩形の透明な第１シート面と、
前記第１シート面の第１端縁が前記第１被覆領域に対向するように折り返されて前記台板を背面側から部分的に覆う帯状の第２シート面と、
前記第１シート面の第１端縁に隣接する第２端縁が当該第１シート面に対向するように折り返されて前記台板を背面側から部分的に覆う帯状の第３シート面と、
前記第１シート面の第１端縁に隣接する第３端縁が前記第２被覆領域に対向するように折り返され、かつ、前記第１シート面の第１端縁側が封止される略矩形の透明な第４シート面と、を有するシートホルダ。
【請求項２】
前記台板と紐体で繋留された筆記具を更に備える請求項１記載のシートホルダ。
【請求項３】
前記第２被覆領域の内部に収容される防水手袋を更に備える請求項１又は２記載のシートホルダ。
【請求項４】
前記第１シート面及び前記第４シート面は、軟質の合成樹脂シートからなり、
前記第２シート面及び前記第３シート面は、前記第１シート面の折り返し部位に接合された硬質の合成樹脂シートからなる請求項１から３のいずれかに記載のシートホルダ。
【請求項５】
前記台板は、ループ状に起毛された複数のループ面部を背面の端部に有し、
前記第２シート面及び前記第３シート面は、フック状に起毛されて複数の前記ループ面部に着脱自在なフック面部を前記第１シート面と対向する対向面に有する請求項１から４のいずれかに記載のシートホルダ。
【請求項６】
前記第１シート面の第１端縁の反対側の第４端縁が当該第１シート面に密着するように折り返されて当該第４端縁を補強する帯状の第５シート面を更に有する請求項１から４のいずれかに記載のシートホルダ。
【請求項７】
前記防水手袋は、前記第２被覆領域の内部に面ファスナで着脱自在に係止される請求項３記載のシートホルダ。
【発明の詳細な説明】
【技術分野】
【０００１】
本発明は、シートホルダ及び用箋挟に関する。特に、用箋（紙葉類）を挟むクリップを台板の端部に備える用箋挟を収容するシートホルダであって、雨天時であっても、用箋に筆記可能なシートホルダ及びこのシートホルダに防水される用箋挟の構造に関する。
【背景技術】
【０００２】
例えば、発電所などでは、タンクローリで運搬された石油類及び液体アンモニアなどの工業薬品類などを規定された手順で受け入れるためチェックシートが用いられる。このような受け入れ作業では、確認項目が印刷された「Ａ４」程度の大きさのチェックシートを用箋挟に挟んで、チェックマークを記入（筆記）していた。
【０００３】
図１０は、市販されている従来の用箋挟の構造を示す斜視図である。図１０を参照すると、用箋挟９は、比較的硬質の矩形の台板９１の長辺側の端部にクリップ９２を取り付けている。「Ａ４」程度の大きさの用箋Ｓをクリップ９２に挟んだ状態で、台板９１の上で用箋Ｓに筆記できる。用箋挟９は、歩き回りながら筆記できるので、前述した受け入れ作業では、便利である。
【０００４】
このような用箋挟としては、ポケットやポーチ内に収容できるように、台板を二つ折り又は三つ折りに折り畳め、必要に応じてすばやく台板を展開して使用できる折り畳み収容可能な用箋挟が開示されている（例えば、特許文献１参照）。
【０００５】
又、このような用箋挟としては、用箋の台板への載置及び取り外しが簡単に行える使い勝手のよい用箋挟が開示されている（例えば、特許文献２参照）。
【先行技術文献】
【特許文献】
【０００６】
【特許文献１】登録実用新案第３００５９４９号公報
【特許文献２】特開２００４−５８５３７号公報
【発明の概要】
【発明が解決しようとする課題】
【０００７】
しかし、前述した受け入れ作業などは、屋外で実施されるため、雨天時には、チェックシートが雨水で濡れて、筆記が困難であった。つまり、一方の片手で用箋挟を保持しながら、他方の片手で筆記するため、傘を保持してチェックシートが雨で濡れるのを防止することが困難であった。
【０００８】
このため、雨着を着用して、チェックシートを市販の透明なクリアホルダ（クリアファイルともいう）に収容して、用箋挟に保持した状態で筆記を試みたが、クリアホルダの開口から雨水が浸入して、チェックシートが雨で濡れるのを防止することが困難であった。
【０００９】
特許文献１及び特許文献２による用箋挟は、降雨対策については考慮されていない。用箋が雨で濡れないように防止すると共に、用箋への筆記が容易な用箋挟が実現できれば、雨天時であっても、屋外での使用が可能になる。
【００１０】
本発明は、このような課題に鑑みてなされたものであり、用箋が雨で濡れないように防止すると共に、用箋への筆記が容易なシートホルダ及び用箋挟を提供することを目的とする。
【課題を解決するための手段】
【００１１】
本発明者らは、防水性を有する透明なシートホルダで用箋挟本体を覆うことにより、これらの課題が解決可能なことを見出し、これに基づいて、以下のような新たなシートホルダ及び用箋挟を発明するに至った。
【００１２】
（１）本発明によるシートホルダは、矩形の台板の端部に用箋を挟むクリップを取り付けた用箋挟本体を覆う防水性を有するシートホルダであって、前記用箋を視認可能に前記台板を前面側から覆う第１被覆領域、及び前記用箋に筆記できるように片手を覆う前記台板の幅方向に延びて前記第１被覆領域に連続する第２被覆領域を形成する略矩形の透明な第１シート面と、前記第１シート面の第１端縁が前記第１被覆領域に対向するように折り返されて前記台板を背面側から部分的に覆う帯状の第２シート面と、前記第１シート面の第１端縁に隣接する第２端縁が当該第１シート面に対向するように折り返されて前記台板を背面側から部分的に覆う帯状の第３シート面と、前記第１シート面の第１端縁に隣接する第３端縁が前記第２被覆領域に対向するように折り返され、かつ、前記第１シート面の第１端縁側が封止される略矩形の透明な第４シート面と、を有する。
【００１３】
（２）本発明によるシートホルダは、前記台板と紐体で繋留された筆記具を更に備えることが好ましい。
【００１４】
（３）本発明によるシートホルダは、前記第２被覆領域の内部に収容される防水手袋を更に備えることが好ましい。
【００１５】
（４）前記第１シート面及び前記第４シート面は、軟質の合成樹脂シートからなり、前記第２シート面及び前記第３シート面は、前記第１シート面の折り返し部位に接合された硬質の合成樹脂シートからなることが好ましい。
【００１６】
（５）前記台板は、ループ状に起毛された複数のループ面部を背面の端部に有し、前記第２シート面及び前記第３シート面は、フック状に起毛されて複数の前記ループ面部に着脱自在なフック面部を前記第１シート面と対向する対向面に有することが好ましい。
【００１７】
（６）前記シートホルダは、前記第１シート面の第１端縁の反対側の第４端縁が当該第１シート面に密着するように折り返されて当該第４端縁を補強する帯状の第５シート面を更に有することが好ましい。
【００１８】
（７）前記防水手袋は、前記第２被覆領域の内部に面ファスナで着脱自在に係止されることが好ましい。
【００１９】
（８）本発明による用箋挟は、シートホルダに雨水防止可能に収容される。
【発明の効果】
【００２０】
本発明による用箋挟は、用箋挟本体を覆う防水性を有するシートホルダを備え、シートホルダは、用箋を視認可能に台板を前面側から覆う第１被覆領域、及び用箋に筆記できるように片手を覆う台板の幅方向に延びて第１被覆領域に連続する第２被覆領域を有しているので、用箋が雨で濡れないように防止すると共に、用箋への筆記が容易である。
【図面の簡単な説明】
【００２１】
【図１】本発明の一実施形態による用箋挟の構成を示す正面図である。
【図２】前記実施形態による用箋挟の構成を示す背面図である。
【図３】前記実施形態による用箋挟の構成を示す正面図であり、シートホルダから防水手袋を取り除いた状態図である。
【図４】前記実施形態による用箋挟の構成を示す正面図であり、シートホルダから用箋挟を取り除いた状態図である。
【図５】前記実施形態による用箋挟の構成を示す背面図であり、シートホルダから防水手袋を取り外した状態図である。
【図６】前記実施形態による用箋挟の構成を示す正面図であり、シートホルダから用箋挟及び防水手袋を取り除いた状態図である。
【図７】前記実施形態による用箋挟の構成を示す正面図であり、シートホルダから用箋挟及び防水手袋を取り除いた状態図である。
【図８】前記実施形態による用箋挟本体の構成を示す斜視図であり、用箋挟本体を前面側から観ている。
【図９】前記実施形態による用箋挟本体の構成を示す斜視図であり、用箋挟本体を背面側から観ている。
【図１０】従来の用箋挟の構造を示す斜視図である。
【発明を実施するための形態】
【００２２】
以下、図面を参照して本発明を実施するための形態を説明する。
［用箋挟の構成］
最初に、本発明の一実施形態による用箋挟の構成を説明する。
【００２３】
図１は、本発明の一実施形態による用箋挟の構成を示す正面図である。図２は、前記実施形態による用箋挟の構成を示す背面図である。図３は、前記実施形態による用箋挟の構成を示す正面図であり、シートホルダから防水手袋を取り除いた状態図である。
【００２４】
図４は、前記実施形態による用箋挟の構成を示す正面図であり、シートホルダから用箋挟を取り除いた状態図である。図５は、前記実施形態による用箋挟の構成を示す背面図であり、シートホルダから防水手袋を取り外した状態図である。
【００２５】
図６は、前記実施形態による用箋挟の構成を示す正面図であり、シートホルダから用箋挟及び防水手袋を取り除いた状態図である。図７は、前記実施形態による用箋挟の構成を示す正面図であり、シートホルダから用箋挟及び防水手袋を取り除いた状態図である。
【００２６】
図８は、前記実施形態による用箋挟本体の構成を示す斜視図であり、用箋挟本体を前面側から観ている。図９は、前記実施形態による用箋挟本体の構成を示す斜視図であり、用箋挟本体を背面側から観ている。
【００２７】
図１又は図２を参照すると、本発明の一実施形態による用箋挟１０は、用箋挟本体１と用箋挟本体１を覆う防水性を有するシートホルダ２を備えている。シートホルダ２は、略矩形の透明な第１シート面２１を有している。又、シートホルダ２は、帯状の第２シート面２２及び帯状の第３シート面２３を有している。更に、シートホルダ２は、略矩形の透明な第４シート面２４を有している。
【００２８】
図８又は図９を参照すると、用箋挟本体１は、比較的硬質の矩形の台板１１の長辺側の端部にクリップ１２を取り付けている。「Ａ４」程度の大きさの用箋（以下、チェックシートという）Ｓをクリップ１２で台板１１の前面側に挟むことができる。
【００２９】
図８又は図９を参照すると、台板１１の隅部には、紐体３ａを繋留している。紐体３ａの末端には、ボールペンなどの筆記具３を繋留している。一方の片手で台板１１を保持し、他方の片手に筆記具３をもって、チェックシートＳに筆記できる。
【００３０】
図９を参照すると、用箋挟本体１は、台板１１の背面側に貼着された帯状のループ面部１ａ・１ｂ・１ｃを有している。ループ面部１ａは、台板１１の短辺に沿って配置されている。一組のループ面部１ｂ・１ｃは、台板１１の長辺に沿って配置されている。これらのループ面部１ａ・１ｂ・１ｃは、ループ状に起毛されており、後述するフック面部２２ａ・２３ｂ・２３ｃに着脱できる（図６参照）。
【００３１】
図１又は図３を参照すると、第１シート面２１は、第１被覆領域２ａと第２被覆領域２ｂを形成している。第１被覆領域２ａは、チェックシートＳを視認可能に台板１１を前面側から覆っている。
【００３２】
図１又は図４を参照すると、第２被覆領域２ｂは、台板１１の幅方向に延びて、第１被覆領域２ａに連続している。そして、第２被覆領域２ｂは、チェックシートＳに筆記できるように片手を覆うことができる。又、第２被覆領域２ｂの内部には、ゴム手袋などの防水手袋４を収容している。
【００３３】
図２又は図７を参照すると、第２シート面２２は、第１シート面２１の第１端縁２１１が第１被覆領域２ａに対向するように折り返されている。そして、第２シート面２２は、台板１１を背面側から帯状に部分的に覆っている。なお、第１端縁２１１は、第１被覆領域２ａから第２被覆領域２ｂに至る端縁部位を含んでいる。
【００３４】
図２又は図７を参照すると、第３シート面２３は、第１シート面２１の第１端縁２１１に隣接する第２端縁２１２が第１シート面２１に対向するように折り返されている。そして、第３シート面２３は、台板１１を背面側から帯状に部分的に覆っている。
【００３５】
図２又は図７を参照すると、第４シート面２４は、第１シート面２１の第１端縁２１１に隣接する第３端縁２１３が第２被覆領域２ｂに対向するように折り返されている。更に、第４シート面２４は、第１シート面２１の第１端縁２１１側が防水可能に封止されている。
【００３６】
例えば、第１シート面２１及び第４シート面２４は、光透過性を有する塩化ビニルシートなどの軟質の合成樹脂シートからなっている。又、第２シート面２２及び第３シート面２３は、第１シート面２１の折り返し部位に接合された硬質の合成樹脂シートからなっている。
【００３７】
第２シート面２２及び第３シート面２３は、表面がビニールコーティングされた厚膜の布テープであってもよく、第１シート面２１の折り返し部位に貼着できる。又、第２シート面２２及び第３シート面２３は、第１シート面２１の折り返し部位に熱溶着される厚膜の塩化ビニルシートであってもよい。
【００３８】
第２シート面２２及び第３シート面２３は、光透過性を必ずしも有する必要はなく、シートホルダ２が矩形の形状を担保できるように、所定の強度を有することが好ましい。第２シート面２２及び第３シート面２３は、面方向には屈曲が容易であるが、板厚方向には屈曲が困難であるように、所定の板厚を有することが好ましい。
【００３９】
図１から図７を参照すると、シートホルダ２は、帯状の第５シート面２５を更に有している。第５シート面２５は、第２シート面２２及び第３シート面２３と同様の硬質の合成樹脂シートからなっている。そして、第５シート面２５は、第１シート面２１の第１端縁２１１の反対側の第４端縁２１４が第１シート面２１に密着するように折り返されて、第１シート面２１の第４端縁２１４を補強できる。
【００４０】
図４又は図５を参照すると、シートホルダ２は、帯状の第６シート面２６を更に有している。第６シート面２６は、第２シート面２２及び第３シート面２３と同様の硬質の合成樹脂シートからなっている。第６シート面２６は、第５シート面２５に沿って、第１シート面２１の裏面側に接合されている。
【００４１】
図５を参照すると、防水手袋４は、ループ状に起毛された帯状のループ面部４ａを端部に貼着している。一方、図７を参照すると、第６シート面２６は、フック状に起毛された帯状のフック面部２６ａを第４シート面２４と対向する対向面に貼着している。そして、ループ面部４ａをフック面部２６ａに係止して、防水手袋４を第２被覆領域２ｂの内部に収容できる（図１又は図２参照）。なお、ループ面部４ａとフック面部２６ａとは、相互に着脱自在な面ファスナを構成している。
【００４２】
図６を参照すると、第２シート面２２には、フック状に起毛された帯状のフック面部２２ａを第１シート面２１と対向する対向面に貼着している。又、第３シート面２３は、フック状に起毛された一組の帯状のフック面部２３ｂ・２３ｃを第１シート面２１と対向する対向面に貼着している。そして、これらのフック面部２２ａ・２３ｂ・２３ｃをループ面部１ａ・１ｂ・１ｃに着脱できる（図９参照）。つまり、用箋挟本体１をシートホルダ２に着脱できる。
【００４３】
［用箋挟の作用］
次に、実施形態による用箋挟１０の作用及び効果を説明する。図１又は図２を参照すると、実施形態による用箋挟１０は、用箋挟本体１をシートホルダ２の下端部から挿入して、第１シート面２１の第１被覆領域２ａに寄せて、用箋挟本体１を第２シート面２２及び第３シート面２３で覆うことができる。
【００４４】
図１又は図２を参照すると、実施形態による用箋挟１０は、シートホルダ２で被覆された用箋挟本体１を片手で持ちながら、第２被覆領域２ｂに片手を入れて、筆記具３でチェックシートＳに筆記できる。実施形態による用箋挟１０は、用箋挟本体１を覆う防水性を有するシートホルダ２を備えているので、雨天の場合にも、チェックシートＳが雨で濡れないように防止すると共に、チェックシートＳへの筆記が容易である。
【００４５】
図２又は図３を参照すると、実施形態による用箋挟１０は、台板１１と紐体３ａで繋留された筆記具３を備えているので、チェックシートＳへ直ちに筆記できて、便利である。
【００４６】
又、図１から図５を参照すると、実施形態による用箋挟１０は、第２被覆領域２ｂの内部に収容された防水手袋４を備えているので、防水手袋４に片手を入れて、チェックシートＳを濡らすことなく、筆記できる。特に、激しい雨が降って、片手が雨水で濡れているときには、防水手袋４を利用すると、チェックシートＳを濡らすことなく、筆記できる。
【００４７】
図１から図５を参照して、実施形態による用箋挟１０は、少量の降雨の場合、防水手袋４を利用することなく、第２被覆領域２ｂに片手を入れて、筆記具３でチェックシートＳに直接、筆記することもできる。この場合、図５に示すように、シートホルダ２から防水手袋４を外して、別の場所に保管しておくこともできる。
【００４８】
図６及び図９を参照すると、用箋挟本体１は、面ファスナでシートホルダ２に着脱自在に構成しているので、必要に応じて、用箋挟本体１をシートホルダ２に着脱できる。例えば、受け入れ作業が終了した後に、室内でシートホルダ２から用箋挟本体１を取り外してもよく、雨天時にシートホルダ２に用箋挟本体１を取り付けることもできる。
【００４９】
図１から図７を参照すると、実施形態によるシートホルダ２は、第１シート面２１の第４端縁２１４が硬質の合成樹脂シートからなる帯状の第５シート面２５で補強されているので、第１シート面２１の矩形の形状を保持でき、第１シート面２１の第４端縁２１４が容易に裂けないという効果がある。
【００５０】
図１から図７を参照すると、実施形態による用箋挟本体１は、シートホルダ２に雨水防止可能に収容されるので、例えば、チェックシートＳが濡れないように雨水から防止できると共に、チェックシートＳへの筆記が容易である。
【００５１】
実施形態によるシートホルダ２は、チェックシートＳを挟む用箋挟本体１が雨で濡れないように防止するものとして発明したが、実施形態によるシートホルダ２は、雨天時の現場での書類の確認及びデータの記録などにも利用できる。
【符号の説明】
【００５２】
１  用箋挟本体
２  シートホルダ
２ａ  第１被覆領域
２ｂ  第２被覆領域
１０  用箋挟
１１  台板
１２  クリップ
２１〜２４  第１〜第４シート面
２１１〜２１４  第１〜第４端縁
Ｓ  チェックシート（用箋）
【図１】
0005143202.tif 000002
【図２】
0005143202.tif 000003
【図３】
0005143202.tif 000004
【図４】
0005143202.tif 000005
【図５】
0005143202.tif 000006
【図６】
0005143202.tif 000007
【図７】
0005143202.tif 000008
【図８】
0005143202.tif 000009
【図９】
0005143202.tif 000010
【図１０】
0005143202.tif 000011